(57)【要約】【課題】メニュー、ディスプレイ、チャート、マップ及び写真をユーザに向けて提示し、より大きな表示の環境内で、その表示の主要エレメントを見にくくすることなく非常にすばやくみて、用いることができるシステム及び方法【解決手段】メニューや他のグラフィカル表示が立体図形の側部に固定され、立体図形を回転させて、メニュー・パネル、並びに他のテキスト情報及びグラフィカル情報を表示することが可能である。【選択図】図１
2006351010.tif 000002
【特許請求の範囲】
【請求項１】
情報を表示するシステムであって、
回転可能な立体図形を表示する手段と、
前記立体図形の側部上に情報を表示する手段とを備えることを特徴とするシステム。
【請求項２】
請求項１記載のシステムであって、
前記立体図形は少なくとも２つの側部を備えることを特徴とするシステム。
【請求項３】
請求項１記載のシステムであって、
前記立体図形は、おおよそ２個以上１２個以下の側部を備えることを特徴とするシステム。
【請求項４】
請求項１記載のシステムであって、
前記立体図形を表示する手段は、前記図形の少なくとも第２の側部を更に表示することを特徴とするシステム。
【請求項５】
請求項１記載のシステムであって、
前記立体図形内に第２の立体図形を更に備え、
前記第２の立体図形は、情報を表示するための少なくとも１つの側部を備えることを特徴とするシステム。
【請求項６】
請求項１記載のシステムであって、
前記立体図形は、側部が平坦な円筒であることを特徴とするシステム。
【請求項７】
請求項１記載のシステムであって、
前記立体図形は、丸い円筒であることを特徴とするシステム。
【請求項８】
請求項１記載のシステムであって、
前記立体図形を平らにして前記図形の側部全てを一度に表示する手段を更に備えることを特徴とするシステム。
【請求項９】
請求項１記載のシステムであって、
側部パネルの少なくとも１つが、サブメニューへのリンクを備えることを特徴とするシステム。
【請求項１０】
請求項５記載のシステムであって、
前記第２の立体図形の前記少なくとも１つの側部は、前記立体図形の前記少なくとも１つの側部よりも詳細な情報を表示することを特徴とするシステム。
【請求項１１】
請求項５記載のシステムであって、
１つの立体図形として回転するよう前記立体図形及び前記第２の立体図形をリンクすることが可能であることを特徴とするシステム。
【請求項１２】
請求項５記載のシステムであって、
前記立体図形内に第３の立体図形を更に備え、
前記第３の立体図形は、第３の情報群を表示するための少なくとも１つの側部を備えることが可能であることを特徴とするシステム。
【請求項１３】
請求項１記載のシステムであって、
ユーザ相互作用なしで前記立体図形を自動回転させる手段を更に備えることを特徴とするシステム。
【請求項１４】
請求項１記載のシステムであって、
前記表示された情報の少なくとも一部分をユーザが選択することを可能にするための入力装置を更に備えることを特徴とするシステム。
【請求項１５】
情報を表示する方法であって、
表示上で回転させることが可能な立体図形を表示する工程と、
前記立体図形の側部上に情報を表示する工程と、
前記立体図形を回転させて、前記立体図形の別の側部を表示する工程とを備えることを特徴とする方法。
【請求項１６】
請求項１５記載の方法であって、
前記立体図形を回転させる工程は、ユーザ相互作用によって制御されることを備えることを特徴とする方法。
【請求項１７】
請求項１５記載の方法であって、
表示上で回転させることが可能な、前記立体図形内の第２の立体図形を表示する工程と、
前記第２の立体図形の側部上に情報を表示する工程と、
前記第２の立体図形を回転させて、前記立体図形の別の側部を表示する工程とを更に備えることを特徴とする方法。
【請求項１８】
情報を表示するコンピュータ・システムであって、
ディスプレイと、
該ディスプレイに接続されたプロセッサであって、
ディスプレイ上で回転させることが可能な立体図形を表示し、
前記立体図形の側部上に情報を表示し、
前記立体図形を回転させて、前記立体図形の別の側部を表示するようプログラムされたプロセッサとを備えることを特徴とするコンピュータ・システム。
【請求項１９】
請求項１８記載のコンピュータ・システムであって、
前記立体図形を回転させることは、ユーザ相互作用によって制御されることを特徴とするコンピュータ・システム。
【請求項２０】
請求項１８記載のコンピュータ・システムであって、
前記プロセッサは、
ディスプレイ上で回転させることが可能な、前記立体図形内の第２の立体図形を表示し、
前記第２の立体図形の側部上に情報を表示し、
前記第２の立体図形を回転させて前記立体図形の別の側部を表示することを更に行うことが可能であることを特徴とするコンピュータ・システム。
【請求項２１】
請求項１８記載のコンピュータ・システムであって、
前記立体図形を表示することは、前記図形の少なくとも第２の側部を更に表示することを特徴とするコンピュータ・システム。
【請求項２２】
請求項２０記載のコンピュータ・システムであって、
前記第２の立体図形の側部上に情報を表示することは、情報の少なくとも１つの側部を表示することを備えることを特徴とするコンピュータ・システム。
【請求項２３】
請求項１８記載のコンピュータ・システムであって、
前記プロセッサは、
前記立体図形を平らにして前記図形の側部全てを一度に表示することを更に行うことが可能であることを特徴とするコンピュータ・システム。
【発明の詳細な説明】
【技術分野】
【０００１】
本発明は、容易にアクセス可能な方法でユーザに向けて大量の情報を表示することに関し、特に、メニュー、ディスプレイ、チャート、マップ及び写真をユーザに向けて提示し、より大きな表示の環境で、その表示の主要エレメントを見えにくくすることなく非常にすばやくみて、用いることができる手段に関する。
【背景技術】
【０００２】
プルダウン・メニューとしても知られているプルアウト・メニューは当該技術分野において周知であり、グラフィカル・ユーザ・インタフェース（ＧＵＩ）において最も一般的なツールの１つであり得る。プルダウン・メニューから、ユーザは、コンピュータ・コマンドを出し、動作を起動させ、特定の動作のパラメータを設定すること等を行うことが可能である。
【０００３】
プルダウン・メニュー構造は非常に人気があるので、時折、ビュー画面全体でも、ユーザが利用可能なものとして存在するメニュー・オプション、すなわちパネル、の全てを表示することが十分でない。このことは、メニュー・パネルのそれぞれが画面上の大きな領域を占めて、判読可能で分かりやすい形式をユーザに提供する場合に特にあてはまる。この場合、ユーザは、更なるパネルをみることが可能なビュー領域を作成するために垂直方向又は水平方向に現行ビューを越えて表示をスクロールしなければならない。このスクロール動作は、ユーザにとって不都合なものであり、時間がかかるものであり得る。
【０００４】
更に、伝統的なプルダウン・メニューは、通常、主メニュー内の特定のパネルに係わるサブメニューであるカスケード・メニューを特徴として備えている。各サブメニューは、それ自身のサブメニューのいくつかを有することが可能である、等である。よって、「親」メニュー内のパネルにそれぞれが関する多レベルのサブメニューが存在することが可能である。この場合、画面上のビュー領域は、ユーザがそのコンテンツを理解することを可能にする一方でパネル毎の空間を設けるのに十分でないことがあり得る。サブメニューを画面の外にスクロールすることは、前述のものに加えて問題をもたらすが、それは、自らが仕組み全体のどこにいるか（すなわち、この特定のサブメニューがどのパネルに関係しているか）をユーザが「見失う」場合があるからである。
【０００５】
更に、ビジネス・インテリジェンス調査などの多くのユーザ集約型アプリケーションは、容易にアクセス可能な方法で大量の情報（例えば、チャート、パラメータを設定するフォーム、マップ、写真やビデオを含む。）を表示することを要する。これらのそれぞれは、表示上で空間をとり、よって、管理不能になってしまう。例えば、一部の予測分析アプリケーションは、ユーザによって設定可能な数百の変数を有しており、単一の決定のための分析に用いられ、よって、アナリストに、みる対象の扱いにくいデータ量がもたらされる。伝統的なメニュー及び表示パネルは邪魔であり、主表示とのユーザの相互作用の環境で提示するのは、難しい。こうしたメニュー及び表示パネルは又、一度に提示される情報量が過剰であるためにユーザは気が散る。
【発明の開示】
【発明が解決しようとする課題】
【０００６】
したがって、現在のメニュー手法及び情報表示構造の上記欠点を解決する必要性が存在している。
【課題を解決するための手段】
【０００７】
本発明は、メニュー、ディスプレイ、チャート、マップ及び写真をユーザに向けて効率的に提示することができる手段を提供することによって前述の必要性を満たすものである。これを達成するために、本発明は、回転可能な立体図形の側部にメニュー、チャート、マップ、及び写真や他のディスプレイを固定するものである。本発明は膨大な量の情報を、非常にすばやくみて、より大きな表示の環境で、その表示の主要エレメントを見にくくすることなく用いることが可能な形式に変換するものである。立体を用いることによって、後続情報パネル及び先行情報パネルもみることが可能になり、それによって、現行パネルの環境が提供され、一連の情報表現をユーザが効率的にかつすばやく通って進むことが可能になる。
【発明を実施するための最良の形態】
【０００８】
本発明の前述並びに他の利点及び特徴は、添付図面を参照して以下に備える例示的な実施例の詳細な説明からより明らかになるであろう。
【実施例】
【０００９】
本発明は、メニュー、ディスプレイ、チャート、マップ及び写真をユーザに向けて提示し、より大きな表示の環境において、その表示の主要エレメントを見えにくくすることなく、すばやくみて、用いることができる。一実施例では、本発明は、回転させることができる立体図形の側部にメニューや他のグラフィカル表示を固定するものである。添付図面は財務分析の例も示すが、しかし、本発明を用いて何れかのタイプの情報、テキスト、データ、グラフィクス、ビデオ等を表示することができる。本発明は、何れかのタイプのマテリアルを表示することが可能な回転メニューである。
【００１０】
図１は、半円筒立体図形１６０として配置された種々のパネル、すなわちパネル面１１０、１２０、１３０、１４０及び１５０を表示する表示画面１００を表す。パネルは、コンピュータ・システムの画面上の新規のグラフィカル・メニュー又はグラフィカル表示を構成する。
【００１１】
ユーザは、マウス、ライトペン、キーボード等などの入力装置（図示せず）を介して各パネルを参照する。ここで、各パネルは、コンピュータ・システムによって表示する対象のデータ又は密接に関連した情報を表す。代表的な動作は、テーブルやグラフなどの画像の画面上の表示、スプレッドシートの編集、テキストの収集、アイコンの整列や何れかの他の所望のアプリケーションを含み得る。
【００１２】
本発明の一局面によれば、ユーザが入力装置を介して情報群を選択（すなわち、参照）すると、その情報はシステムのデータ源から得られる。情報、及び、適切なウィンドウ、メニュー又はグラフィカル表示が、図２に示すように立体図形１６０の１つ又は複数のパネル上に表示される。隣接パネルの面も目に見えるので、ユーザは、図形１６０を高速回転させる方向が分かる。
【００１３】
例えば、図２を参照すれば、ユーザは主メニュー２００内の「総収入」パネル１３０にカーソルを向ける。ユーザがそのパネルを参照し次第、そのパネルはユーザの方向に向き、主メニュー２００内の他のパネル、すなわち、パネル１１０、１２０、１４０及び１５０の何れよりも目に見えるようになる。すなわち、参照されたパネルの表示コンテンツ（例えば、チャート）は、自らがメニュー内のどこにいるか、及び、その特定の動作を起動させるか否かをユーザが容易に識別することが可能であるように表示される。パネルは、連続して情報を提示して、かつユーザの参照又はキューを必要とせずに、常に回転するようプログラムすることも可能である。
【００１４】
更に、本発明によれば、表示パネルのそれぞれは、そのコンテンツをユーザに向けて容易に目に見えるようにするのに画面１００上で大きな領域を占めなくてよい。実は、各パネルは、画面１００上の比較的小さな表示領域を占め得る。ユーザが、カーソルを用いて情報をたどるにつれ、ユーザによって示される各パネルは、そのコンテンツが容易に識別可能になるようにユーザに向けて回転する。更に、例えば、ユーザが、パネル上でカーソルを一時停止することによってパネルを参照する限り、パネルはフリーズし、ユーザの方向に向くものである。
【００１５】
図２及び図３は、上記動作の例を示す。ユーザが新たなパネル、例えば、「施設毎平均収入」パネル１１０を参照した後、図形１６０はパネル１２０、１３０をそれらの新たな位置に回転させる。特に、パネル１３０の新たな位置は、主メニュー２００内の他の非参照パネルの全てとともにバックグランドにある。「施設毎平均収入」パネル１１０は、今度はユーザの方向に向いている。したがって、第１の主メニュー・パネル１３０（図１）の面は、前述の第２の主メニュー・パネル１１０が視野に入る一方でユーザから遠ざかる方向に回転する。
【００１６】
図４を参照すれば、本発明の別の局面によって、特定の主メニュー・パネル１５０に関連したそれ自身のパネルを備えるサブメニュー３００があり得る。サブメニューは、第１の立体図形１６０内の第２の立体図形３６０として表示される。図５に更に示すように、ユーザが特定のパネルを選択すると、ユーザにはサブメニュー３００へのアクセスが与えられる。サブメニュー３００は、サブメニュー３００へ主メニュー２００のパネルのフロースルーに（より、サブメニュー３００を画面１００上に出現させることに）よって表示される。フロースルーは、主メニュー２００の特定のパネルを通ってズームして、サブメニュー３００のパネルをみるというグラフィック効果である。図示した例では、サブメニュー３００は典型的に、ソース及び年次収入履歴による金額内訳などのより詳細な情報を含む。サブメニューの編成手法、及びその手法が情報を表示する数多くの方法は、アプリケーションに依存し、ユーザによって所望される何れかの図式を反映することが可能である。
【００１７】
本発明のこの局面によれば、サブメニュー３００の仕組みは主メニュー２００と同じである。すなわち、ユーザが、図５に示すように、サブメニュー３００上の何れかのパネルを示すと、サブメニューのパネルが回転させられ、（本発明の一実施例では）サブメニューの他のパネルがユーザの視野に入る。サブメニューのパネルも、ユーザによる介入（例えば、マウス、キー等の起動）があるまで連続して回転するようプログラムすることも可能である。
【００１８】
サブメニュー・パネルは、ユーザが別のメニューを起動させるまで目に見える状態に留まることになる。立体図形３６０が連続して回転し、かつ、ユーザが、サブメニュー・パネルの上にカーソルを一時停止するか、又は置く場合、ユーザによって参照されたパネルはフリーズし、かつ、他のサブメニュー・パネルが参照されるにつれ、対応して回転し続けることになる。しかし、ユーザが主メニューにサブメニュー・パネルを介して戻ると、サブメニューはメニューの内部に圧縮される。サブメニューが画面上で「縮小する」一方、主メニューは、その縮小前のサブメニュー・サイズとほぼ同じサイズに「増大する」。ユーザが主メニュー・パネルをもう一度示すと、そのパネルのビューは、ユーザのコマンドを受けるにつれ相応に増大する一方、サブメニューを含む他のパネルは全て、バックグラウンドに引っ込むようになり、非常に小さな画面表示領域しか占めない。
【００１９】
更に、ユーザが、特定の主メニュー・パネルから遠ざかるようにメニュー内を進んだ後には、サブメニュー３００は、図１に示すように、表示画面１００から消えることになる。
【００２０】
なお、サブメニュー内の特定のパネルが、ユーザによって参照されるそのパネルに関連したそれ自身のサブメニュー３００を有する場合、そのサブ・サブメニューは、特定のサブメニュー３００のパネルのフロースルーによって画面１００上に表示される。これは、主メニュー２００からのサブメニュー３００のアクセスと同様なズーム効果である。
【００２１】
なお、主メニュー２００及びサブメニュー３００は、図１及び図３の先行例におけるような画面の一部でなく、画面全体を占め得る。この点で、いくつかの主メニュー及び／又はサブメニュー等が、下記のような種々の構成に配置された画面上に現れ得る。
【００２２】
又、主メニュー内の２つ以上のパネルが、サブメニュー記号を含むことが可能である。現在参照されていないパネルは、主メニューのパネルのうち、サブメニューが属するパネルがどれかを示すためにそのサブメニュー記号を表示させない場合がある。あるいは、主メニュー・パネルは、サブメニューとのリンクを示すために、そのサブメニュー記号を強調表示させ、そのサブメニュー記号に下線を引き、そのサブメニュー記号を別の色等で表示させ得る。
【００２３】
図６に示す、本発明の別の局面によれば、図１乃至図５に示す、本発明の第１の実施例を、情報全てを一度にみることを可能にするよう表示にわたって立体図形として平たくすることが可能である。よって、複数値を含む情報は何れも本発明から恩恵を受けることが可能である。ユーザは、評価に資する形式で種々のパネル及び情報をみて分析することが可能である。更に、複数のテーブル、チャート又はマップを都合良く横に並べて、画面１００上に更に多くの情報を表示することが可能である。連係された集合において回転するようにメニューを互いにリンクすることも可能である。相対データを他のものにおいて明らかにすることが可能であり、逆も同様である。
【００２４】
本発明の別の局面によれば、立体図形１６０は、矢印６００によって示すようにプーリーとして回転することが可能であり、長い一連の情報を、立体図形のパネルをまたがって表すことが可能である。プーリー上を進むベルト（情報のリール）は理論的には、無限に長いものであり、提示される情報の量は、事実上無限であり得る。
【００２５】
図７は、本発明によるメニュー・パネルを表示するプロセッサ７００の動作を表す流れ図である。工程７０１では、ユーザが画面上のメニューを選択し、システムが工程７０２で、要求されたメニューを表示する。ユーザは、工程７０３で、入力装置を介して、メニュー内の種々のオプション（すなわち、メニュー・パネル）を走査し、回転させる。入力装置からカーソルによって識別される各オプションは、工程７０４で「順方向に回転する」。
【００２６】
本発明によれば、メニュー及びそれに相当するパネルは全て、例えば、カーソルによって示される、ユーザに関心のあるメニュー及び／又はパネル以外は、表示画面上で比較的小さく見えることがあり得る。この構成によって、更なるメニュー・パネルのスクロール動作をユーザが行う必要なく、多くのパネルを単一の画面上に表示することが可能になる。
【００２７】
前述の例におけるメニューは必ずしも円筒形状でなくてもよいことも分かるであろう。本発明から逸脱することなく、メニューは、種々の形状で、かつ、何れかの配置で、すなわち、立方体、五角形、管、円弧等で現れ得る。側部が平らな円筒に立体図形を限定する理由もない。実際に、これは、ユーザが円筒を高速回転させ、グラフ又はマップで類似性をみることができるように、円筒の断面が円形である場合に比較分析に最も有用であり得る。
【００２８】
立体図形が特定数の側部に限定されるべきでないことも認識されるであろう。立体図形はわずか２つの側部を有し得るものであるか、又は、無限数の側部を有し得る。実験から、約１２個の側部から成る立体が妥当な上限であると思われる。
【００２９】
本発明の別の局面によれば、回転メニュー上に情報を表示する方法を、ビジネス・インテリジェンスの分析の中で用いることが可能である。ビジネス・インテリジェンスは、ビジネスの分野において情報を収集するプロセスである。これは、データを収集し、記憶し、分析し、データへのアクセスを与えて企業ユーザがビジネス上の意思決定をよりうまく行うことを支援するアプリケーション及び技術のカテゴリである。アプリケーションには、意思決定支援システム、問い合わせ及び報告、オンライン分析処理、統計分析、予測、データ・マイニング等がある。
【００３０】
従来技術は、分析には厄介すぎる方法で情報を表示する傾向にある。情報は、邪魔になり、主表示とのユーザの相互作用の環境において示すのが難しい。提示される情報が過剰であることはユーザにとって気が散るものでもある。本発明によって、複雑なスプレッドシートを用いることなく通常のユーザにとってこの情報がより簡素化され、整理され、効率的なものになる。更に、本発明によって、ユーザが、主表示及び最も重要な指標になる内容を選び、かつ、１つ又は複数の回転立体図形を用いて副次的な情報又はメニューを担持することが可能になる。よって、ユーザは主表示上に現れる乱れ及び邪魔の量を調節し、最小にすることが可能である。
【００３１】
本発明は、回転する３次元立体図形上に情報を体系化するものである。本発明は、立体図形１６０のパネル、すなわち、１１０、１２０、１３０、１４０及び１５０に情報を固定するものである。
【００３２】
例えば、石油会社が、世帯の公共施設利用をビジネス・モデルとして調査することがあり得る。前述のように、パネルが、図２に示すように円筒形状の立体図形１６０内のパネル面上に現れることになる。施設毎平均収入、世帯毎平均支出、総収入、施設毎顧客、及び平方メートル毎収入などの重要カテゴリが、各パネル上に現れ、この方法で分析し得る。次に利用可能な面のパネルが目に見えることがあり得るのでユーザは立体を高速回転する方向が分かる。サーチ及びプローブの同様な手法が、メニューの実施例を参照して前述したように、情報をアクセスするためのこの実施例にあてはまることになる。
【００３３】
石油会社のアナリストは、レポート、チャート及びグラフを作成するのに必要な適切な情報をすばやく識別することが可能である。本発明は、すばやくみて、容易に管理可能なものであり得る方法でユーザに向けて情報を表示するものである。次に図８Ａ乃至８Ｉを参照すれば、ユーザは、メニュー８１０や他の表示の後ろにある詳細をみたい場合、立体図形１６０上のメニュー・パネル８１０の面を「バーチャル飛行」して要約メニュー８１０の後ろにあるコンテキスト立体メニュー・パネル８５０を表示する。バーチャル飛行は、メニュー８１０の特定のパネルを通ってズームして別のメニュー８５０のパネルをみるというグラフィック効果である。例えば、石油会社の同じアナリストは、「施設毎平均収入」パネル８１０を調べる場合、要約メニューによって要約された更に詳細な、パネル又は複数パネルの情報分析をアクセスすることが可能である。サブメニューは、洗車９２０の平均収入、コンビニエンス・ストア９３０の平均収入、ディーゼル９４０の平均収入等に関する統計などの詳細情報を表示することが可能である。
【００３４】
図９は、本発明の情報表示システム１０００を含むよう修正された通常のプロセッサ・ベース・システムであるシステム９００を示す。情報表示システム１０００を用い得るプロセッサ・ベース・システム例には、限定なしで、コンピュータ・システム、機械視覚システム、車両ナビゲーション・システム、ビデオ電話機、監視システム、及び他のものがある。
【００３５】
システム９００は、バス９２２を介して種々の装置と通信する中央処理装置（ＣＰＵ）９０２を含む。バス９２２に接続された装置の一部は、入出力（Ｉ／Ｏ）装置９０６及び情報表示システム１０００を図では含むシステム９００との間での通信を備える。バス９２２に接続された他の装置は、図１に示す情報表示システム１０００を組み入れたＣＰＵ９０２を図では含むメモリを備える。１つの入出力装置９０６を示しているが、ＣＤ―ＲＯＭ、ハード・ドライブ、フロッピー（登録商標）・ディスク、ディスプレイ及びキーボード、並びに他のものなどの複数のＩ／Ｏ装置があり得る。情報表示システム１０００は、メモリ、ディジタル信号プロセッサ又はマイクロプロセッサなどのプロセッサと、単一の集積回路内で組み合わせることもできる。
【００３６】
なお、ビジネス・インテリジェンス・モデルの例は、本明細書に用いた石油会社の公共施設の例にのみ限定されないものとする。モデルは、何れかのタイプの調査中の何れかのタイプのビジネスに用いることができる。例えば、何れのタイプのビジネス・モデルの下でも、ユーザは、チャート、パラメータを設定するフォーム、マップ、写真及びビデオの表示及び／又は体系化を行うことが可能である。こうした表示は、ユーザによって設定可能な数百の変数を有することができ、種々の分析で用いて単一の意思決定を行うことができる。本発明は、回転可能な立体図形の側部を用いてユーザに向けて情報を表示する手段に過ぎない。
【００３７】
添付図面を参照して本発明の特定の好ましい実施例を説明したが、本発明はまさにこうした実施例に限定されず、特許請求の範囲記載の本発明の範囲又は趣旨から逸脱することなく種々の変更及び修正を当業者によって本発明において行うことができる。
【図面の簡単な説明】
【００３８】
【図１】本発明の例示的な実施例を示す図である。
【図２】本発明による立体図形を示す図である。
【図３】本発明の例示的な実施例を示す図である。
【図４】本発明の別の実施例を表す、立体図形内の内部立体図形を示す図である。
【図５】本発明の実施例による、内部立体図形のパネルを示す図である。
【図６】本発明の別の実施例による、平たくしたビューにおける立体図形を示す図である。
【図７】本発明による、情報を表示する動作を示す流れ図である。
【図８Ａ】本発明による別の実施例を示す図である。
【図８Ｂ】本発明による別の実施例を示す図である。
【図８Ｃ】本発明による別の実施例を示す図である。
【図８Ｄ】本発明による別の実施例を示す図である。
【図８Ｅ】本発明による別の実施例を示す図である。
【図８Ｆ】本発明による別の実施例を示す図である。
【図８Ｇ】本発明による別の実施例を示す図である。
【図８Ｈ】本発明による別の実施例を示す図である。
【図８Ｉ】本発明による別の実施例を示す図である。
【図９】本発明を含むプロセッサ・システムの図である。
【符号の説明】
【００３９】
１００  表示画面
１１０、１２０、１３０、１４０、１５０  パネル
１６０、３６０  立体図形
２００  主メニュー
３００  サブメニュー
８１０、８５０  メニュー
９００  システム
９０２  ＣＰＵ
９０４  メモリ
９０６  Ｉ／Ｏ装置
９２２  バス
１０００  情報表示システム
【図１】
2006351010.tif 000003
【図２】
2006351010.tif 000004
【図３】
2006351010.tif 000005
【図４】
2006351010.tif 000006
【図５】
2006351010.tif 000007
【図６】
2006351010.tif 000008
【図７】
2006351010.tif 000009
【図８Ａ】
2006351010.tif 000010
【図８Ｂ】
2006351010.tif 000011
【図８Ｃ】
2006351010.tif 000012
【図８Ｄ】
2006351010.tif 000013
【図８Ｅ】
2006351010.tif 000014
【図８Ｆ】
2006351010.tif 000015
【図８Ｇ】
2006351010.tif 000016
【図８Ｈ】
2006351010.tif 000017
【図８Ｉ】
2006351010.tif 000018
【図９】
2006351010.tif 000019
【外国語明細書】
2006351010.tif 000020
2006351010.tif 000021
2006351010.tif 000022
2006351010.tif 000023
2006351010.tif 000024
2006351010.tif 000025
2006351010.tif 000026
2006351010.tif 000027
2006351010.tif 000028
2006351010.tif 000029
2006351010.tif 000030
2006351010.tif 000031
2006351010.tif 000032
2006351010.tif 000033
2006351010.tif 000034
2006351010.tif 000035
2006351010.tif 000036
2006351010.tif 000037
【図１】
2006351010.tif 000038
【図２】
2006351010.tif 000039
【図３】
2006351010.tif 000040
【図４】
2006351010.tif 000041
【図５】
2006351010.tif 000042
【図６】
2006351010.tif 000043
【図７】
2006351010.tif 000044
【図８Ａ】
2006351010.tif 000045
【図８Ｂ】
2006351010.tif 000046
【図８Ｃ】
2006351010.tif 000047
【図８Ｄ】
2006351010.tif 000048
【図８Ｅ】
2006351010.tif 000049
【図８Ｆ】
2006351010.tif 000050
【図８Ｇ】
2006351010.tif 000051
【図８Ｈ】
2006351010.tif 000052
【図８Ｉ】
2006351010.tif 000053
【図９】
2006351010.tif 000054